(57)【要約】      （修正有）【課題】既存のボックス型冷ケースの側壁の上端部に取り付ける、開閉ガラス扉の設置に好適な長尺状の冷ケース用枠体構造体を提供する。【解決手段】上方開口のボックス型冷ケースの側壁５０の上端部に嵌合する下方開口の冷ケース用枠体構造体１０であって、側壁の上端部に嵌合する下方開口の樹脂製第１長尺状枠体１と、第１長尺状枠体１に嵌合する下方開口の金属製第２長尺状枠体２とを備え、第１長尺状枠体１の前後幅は、第２長尺状枠体２の内寸の前後幅より大であり、第１長尺状枠体１の裏面には、軟質樹脂の突起を形成し、第２長尺状枠体２の後方下端には、斜め上方に延びる他構造体の係止部が係止する係止部２１７を形成した。【選択図】図１
0003183017.tif 000002
【実用新案登録請求の範囲】
【請求項１】
上方開口のボックス型冷ケースの側壁の上端部に嵌合する下方開口の長尺状枠体構造体であって、該側壁の上端部に嵌合する立設状の第１前後側板と第１天板で形成される下方開口の樹脂製第１長尺状枠体と、該第１長尺状枠体に嵌合する立設状の第２前後側板と第２天板で形成される下方開口の金属製又は樹脂製の第２長尺状枠体とを備え、
該第１前後側板の裏面には、内側へ斜め上方に延びる該第１前後側板より柔らかい樹脂の突起を形成し、
該第２後側板の外側には、他構造体の係止部が係止する上方開口の溝状の係止部を形成したことを特徴とする冷ケース用枠体構造体。
【請求項２】
該第２長尺状枠体は樹脂製であって、該第２長尺状枠体の樹脂は、第１長尺状枠体の第１前後側板の樹脂より硬い樹脂であることを特徴とする請求項１記載の冷ケース用枠体構造体。
【請求項３】
該第１長尺状枠体の前後幅は、該第２長尺状枠体の内寸の前後幅と同じであることを特徴とする請求項１又は２記載の冷ケース用枠体構造体。
【請求項４】
該突起は、互いに対峙する一対の突起であって、該突起間の寸法は、該側壁の上端部の前後幅寸法より小であることを特徴とする請求項１〜３のいずれか１項に記載の冷ケース用枠体構造体。
【請求項５】
該突起はひとつであるか、又は上下に複数対、形成したことを特徴とする請求項４に記載の冷ケース用枠体構造体。
【請求項６】
該第１長尺状枠体の下端から内側に水平に延びる突出部を形成し、該第１長尺状枠体の下方開口を狭くしたことを特徴とする請求項１〜５のいずれか１項に記載の冷ケース用枠体構造体。
【請求項７】
該突出部の下端より内側へ斜め下方に延びる該第１前後側板より柔らかい樹脂の第２突起を設けたことを特徴とする請求項６記載の冷ケース用枠体構造体。
【請求項８】
該金属がアルミニウムであることを特徴とする請求項１〜７のいずれか１項に記載の冷ケース用枠体構造体。
【請求項９】
該第２長尺状枠体の上方には、第２長尺状枠体と一体であって、前方に突の孤状断面の上部天板と立設状の第３後側板を有するＰＯＳレールを形成したことを特徴とする請求項１〜８のいずれか１項に記載の冷ケース用枠体構造体。
【請求項１０】
該上部天板の外側の下端に、内側に延びる係合横溝を形成したことを特徴とする請求項９記載の冷ケース用枠体構造体。
【請求項１１】
該上方開口の溝状の係止部は、該第２後側板の外側下端に形成されたものであることを特徴とする請求項１〜１０のいずれか１項に記載の冷ケース用枠体構造体。
【請求項１２】
該上方開口の溝状の係止部は、該第２後側板の上端に形成されたものであることを特徴とする請求項１〜１０のいずれか１項に記載の冷ケース用枠体構造体。
【考案の詳細な説明】
【技術分野】
【０００１】
本考案は、スーパーやコンビニで使用されている冷凍物を収容する上方開口のボックス型冷ケースの側壁の上端部に取り付ける、開閉ガラス扉の設置に好適な長尺状枠体構造体に関するものである。
【背景技術】
【０００２】
スーパーやコンビニで使用されている冷凍物を陳列するボックス型冷ケースは、図１１に示すように、上方が開口のものが多い。このような上方開口のボックス型冷ケース１００は、顧客が冷凍物を取り出し易くて都合がよい。また、冷気を封じ込めるため、例えば収納ボックス１０１の上方に付設された吹き出し口１０２から、冷気Ａを吹き出し、側板の内側下方に付設された冷気吸引口１０３から冷気Ａを吸引し、外気と接触を断って収納ボックス内の温度が低下しないようにしている。
【考案の概要】
【考案が解決しようとする課題】
【０００３】
しかしながら、従来の上方開口のボックス型冷ケースは、冷気を内部循環しているとは言え、物理的な密閉空間を形成するのではないため、冷気が逃げ易い。このため、所定の冷凍温度を維持するために電力使用量は増大し、近年の電気料金の値上がりによる運転コストの上昇は避けらないという問題があった。従って、既存のボックス型冷ケースの側壁の上端部に取り付ける、開閉ガラス扉の設置に好適な長尺状枠体構造体の提供が求められていた。また、既存のボックス型冷ケースの側壁の上端部に取り付ける長尺状枠体構造体及び上面ガラス構造体も提案はされているものの、冷ケースの側壁の上端部への取り付けが単に載せるだけであった。また、この長尺状枠体構造体は、コーナー部分は別途の部材で構成されており、コーナー部材と長尺状本体部とで発生する隙間は、コーキング材を注入することで埋めていた。このため、従来の長尺状枠体構造体は、顧客がバランスを崩して、当たる等の意図しない外力によりずれる恐れがあった。また、冷気を封じ込めるという点では十分ではないという問題があった。
【０００４】
従って、本考案の目的は、既存のボックス型冷ケースの側壁の上端部に取り付ける、開閉ガラス扉の設置に好適な長尺状枠体構造体を提供することにある。
【課題を解決するための手段】
【０００５】
かかる実情において、本考案者は鋭意検討を行った結果、既存のボックス型冷ケースに蓋をするガラス扉を設置する際、既存のボックス型冷ケース側壁の上端部そのままでは設置が不十分であり、ボックス型冷ケース側壁の上端とガラス扉を接続するアダプターが必要であること、該アダプターである長尺状枠体構造体には、既存のボックス型冷ケース側壁の上端部が種々の幅寸法を有するため、樹脂製の中部材が必要であること、樹脂製中部材の前後側板の裏面に、斜め上方に延びる該第１前後側板より柔らかい樹脂の一対の突起を形成する等の対策を施せば、冷ケース側壁の上端に嵌合し易く、外れ難いこと等を見出し、本考案を完成するに至った。
【０００６】
すなわち、本考案は、上方開口のボックス型冷ケースの側壁の上端部に嵌合する下方開口の長尺状枠体構造体であって、該側壁の上端部に嵌合する立設状の第１前後側板と第１天板で形成される下方開口の樹脂製第１長尺状枠体と、該第１長尺状枠体に嵌合する立設状の第２前後側板と第２天板で形成される下方開口の金属製又は樹脂製の第２長尺状枠体とを備え、該第１前後側板の裏面には、内側へ斜め上方に延びる該第１前後側板より柔らかい樹脂の突起を形成し、該第２後側板の外側には、他構造体の係止部が係止する上方開口の溝状の係止部を形成したことを特徴とする冷ケース用枠体構造体を提供するものである。
【０００７】
また、本考案は、該第２長尺状枠体は樹脂製であって、該第２長尺状枠体の樹脂は、第１長尺状枠体の第１前後側板の樹脂より硬い樹脂であることを特徴とする前記冷ケース用枠体構造体を提供するものである。
【０００８】
また、本考案は、該第１長尺状枠体の前後幅は、該第２長尺状枠体の内寸の前後幅と同じであることを特徴とする前記冷ケース用枠体構造体を提供するものである。
【０００９】
また、本考案は、該突起は、互いに対峙する一対の突起であって、該突起間の寸法は、該側壁の上端部の前後幅寸法より小であることを特徴とする前記冷ケース用枠体構造体を提供するものである。
【００１０】
また、本考案は、該一対の突起はひとつであるか、又は上下に複数対、形成したことを特徴とする前記冷ケース用枠体構造体を提供するものである。
【００１１】
また、本考案は、該第１長尺状枠体の下端から内側に水平に延びる突出部を形成し、該第１長尺状枠体の下方開口を狭くしたことを特徴とする前記冷ケース用枠体構造体を提供するものである。
【００１２】
また、本考案は、該突出部の下端より内側へ斜め下方に延びる該第１前後側板より柔らかい樹脂の第２突起を設けたことを特徴とする前記冷ケース用枠体構造体を提供するものである。
【００１３】
また、本考案は、該金属がアルミニウムであることを特徴とする前記冷ケース用枠体構造体を提供するものである。
【００１４】
また、本考案は、該第２長尺状枠体の上方には、第２長尺状枠体と一体であって、前方に突の孤状断面の上部天板と立設状の第３後側板を有するＰＯＳレールを形成したことを特徴とする前記冷ケース用枠体構造体を提供するものである。
【００１５】
また、本考案は、該上部天板の外側の下端に、内側に延びる係合横溝を形成したことを特徴とする前記冷ケース用枠体構造体を提供するものである。
【００１６】
また、本考案は、該上方開口の溝状の係止部は、該第２後側板の外側下端に形成されたものであることを特徴とする前記冷ケース用枠体構造体を提供するものである。
【００１７】
また、本考案は、該上方開口の溝状の係止部は、該第２後側板の上端に形成されたものであることを特徴とする前記冷ケース用枠体構造体を提供するものである。
【考案の効果】
【００１８】
本考案によれば、既存のボックス型冷ケースの側壁の上端部に本考案の冷ケース用枠体構造体を取り付けることで、開閉ガラス扉の設置が可能となる。また、ボックス型冷ケースの側壁の上端部の寸法が少々異なったものであっても嵌め易く、外れ難い。また、冷ケース内の商品の商品名や価格を表示したカード類の装着も容易となる。
【図面の簡単な説明】
【００１９】
【図１】本考案の実施の形態における冷ケース用枠体構造体の側面図である。
【図２】図１の冷ケース用枠体構造体の斜視図である。
【図３】図１の冷ケース用枠体構造体の分解側面図である。
【図４】図１の冷ケース用枠体構造体の分解斜視図である。
【図５】本考案の実施の形態における他の冷ケース用枠体構造体の使用状態を示す側面図である。
【図６】図５の冷ケース用枠体構造体の斜視図である。
【図７】図５の冷ケース用枠体構造体の分解斜視図である。
【図８】図１の冷ケース用枠体構造体の組み付け方法を説明する図である。
【図９】図１の冷ケース用枠体構造体の組み付け方法を説明する他の図である。
【図１０】図１の冷ケース用枠体構造体の組み付け方法を説明する他の図である。
【図１１】第１長尺状枠体の変形例を示す側面図である。
【図１２】従来の冷ケースの斜視図である。
【考案を実施するための形態】
【００２０】
本考案の実施の形態における冷ケース用枠体構造体を図１〜図４を参照して説明する。本明細書中、「前後」、「上下」は、断りのない限り、冷ケースに設置された後、顧客側から見た方向を言う。冷ケース用枠体構造体１０は、上方開口のボックス型冷ケースの側壁５０の上端部５２に嵌合する下方開口の長尺状物である。上方開口のボックス型冷ケースは、図１２に示すような従来のものを言う。すなわち、上方開口のボックス型冷ケースは、長手方向に延びる前側壁１０４と、前側壁１０４と対峙する長手方向に延びる後側壁１０５と、前側壁１０４と後側壁１０５を接続する左右側壁１０６、１０７と、底板１０８とから形成されている。４つの側壁はガラス板であってもよい。なお、ボックス型冷ケース１００は、図１２に示すような中央に隔壁１０９があってもなくてもよい。また、冷ケースとしては、特に制限されず、冷蔵ケース又は冷凍ケースが挙げられる。また、平面視は四角形であり、通常は長手方向と短手方向があるが、これに限定されず、正四角形であってもよい。
【００２１】
冷ケースの側壁５０の上端部５２としては、例えば図４に示すように、ガラス板５１の上部がコ字形状断面の樹脂製の長尺状の被覆材５２１で被覆されたものが挙げられる。被覆材５２１はガラス板の端面を覆って、顧客や作業者を怪我から防止する。２枚の側壁５０の端部が接続する角部は、アールが形成されたコーナー部材を使用している。なお、被覆材５２１はあってもなくてもよい。
【００２２】
冷ケース用枠体構造体１０は、側壁５０の上端部５２に嵌合する立設状の第１前後側板１１１、１１２と第１天板１１３で形成される下方開口の樹脂製の第１長尺状枠体１と、第１長尺状枠体１に嵌合する立設状の第２前後側板２１１、２１２と第２天板２１３で形成される下方開口の金属製第２長尺状枠体２とを備える。側壁５０の上端部５２は、被覆材５２１がある場合、被覆材５２１の一部を含んでいても、全部を含んでいてもよい。図１の被覆材５２１の天面には前後方向に微少な凹凸が繰り返す滑り止め５２１が形成されている。これにより、第１長尺状枠体１の設置安定性が向上する。
【００２３】
第１長尺状枠体１は、所定高さの第１前後側板１１１、１１２と第１天板１１３で形成される。第１前後側板１１１、１１２は、前後対称であり、第１前側板１１１についてのみ説明し、第１後側板側１１２の説明は省略する。第１前側板１１１の長手方向の長さは、冷ケースの前側壁の直線状部の長さと同じでよい。
【００２４】
第１前側板１１１は、上部は側面視で外側にやや突状の形状であり、下部は側面視で鉛直状の形状であり、第１前側板１１１の裏面には、内側へ斜め上方に延びる突起１３、本例では互いに対峙する一対の突起１３を形成している。一対の突起１３間寸法Ｌ４は、側壁の上端部５２の前後幅寸法Ｌ１より小である。これにより、第１前後側板１を冷ケースの側壁５０の上端部５２に嵌め込む際、突起１３は嵌め込む方向に寝るため抵抗なく押し込め、嵌合後は、抜ける方向に突っ張り状となるため、外れ難い。一対の突起１３ａ、１３ｂは、本例では、１つ、都合２つ形成されている。一対の突起１３ａ、１３ｂは、先細り形状（髭状）であり、先端程よく撓む。これにより、嵌合の安定性が増し、嵌合後は、より外れ難くなる。
【００２５】
また、第１前側板１１１は、その下端から内側に水平に延びる突出部１２を形成し、第１前後側板１１１の下方開口を狭めている。これにより、冷ケースの側壁５０の上端部５２への嵌合強度が高まる。なお、第１後側板１１２の裏面とは、外からは見えない内側を言う。また、突出部１２には、その下端より内側へ斜め下方に延びる第２突起１４が更に形成されている。第２突起１４は、湾曲状であり、先端は少し横に寝ている。突起１３及び第２突起１４は、共に第１前後側板１１１より柔らかい樹脂である。すなわち、第１前後側板１１は、天板１１３及び突出部１２を含めてやや硬めの樹脂を使用し、髭状の突起１３と第２突起はそれより柔らかい樹脂である。また、第１長尺状枠体１は、下方開口のコ字形状の樹脂製であるため、バネ力に抗して前後側に下方を広げることができる。これにより、冷ケースの側壁５０の上端部５２の幅寸法が多少異なるものであっても対応でき、嵌合に支障はない。天板１１３の裏面には、微少突起１５が形成されている。これにより、第１長尺状枠体１の冷ケースの側壁５０への嵌合強度が高まる。なお、図１の端面に表われる部材は全て、長手方向に連続して延びている。
【００２６】
第２長尺状枠体２は、第１長尺状枠体１に嵌合する所定高さの第２前後側板２１１、２１２と第２天板２１３で形成される下方開口の樹脂製又は金属製の枠体である。第２長尺状枠体２は、金属が好ましく、特にアルミニウムが好ましい。また、第２長尺状枠体２が樹脂製の場合、第２長尺状枠体２の樹脂は、第１長尺状枠体１の第１前後側板１１１の樹脂より硬い樹脂である。これにより、第２長尺状枠体２を第１長尺状枠体１に嵌合する際、強く嵌合させることができる。このように、第２長尺状枠体２は概ね剛性である。なお、第２長尺状枠体２の樹脂としては、アクリロニトリル・ブタジエン・スチレン（ＡＢＳ）樹脂、塩化ビニルなどが挙げられる。また、第２長尺状枠体２の樹脂中には、細かい砕石やガラス繊維等の補強材が含まれていてもよい。
【００２７】
第２長尺状枠体２の長手方向の長さは、第１長尺状枠体１の長さと同じでよい。第２前後側板２１１、２１２の下端には、内側に僅かに水平方向に延びる係止部２１８を有している。これにより、嵌合後、係止部２１８が第１長尺状枠体１の下端に係止し、第１長尺状枠体１と第２長尺状枠体２が強く嵌合する。また、第２長尺状枠体２の内寸の前後幅Ｌ３は、第１長尺状枠体１の前後幅Ｌ２と同じ寸法である。第１長尺状枠体１は、冷ケースの側壁５０へ嵌合すると、第１長尺状枠体１の前後幅Ｌ２は少し膨れる。従って、第２長尺状枠体２を第１長尺状枠体１に嵌合する際、第１長尺状枠体１の前後幅は、Ｌ２より大となっている。この状態で、第２長尺状枠体２を嵌め込むため、第１長尺状枠体１は内側に締め付けられ撓むため、第１長尺状枠体１と第２長尺状枠体２は強く嵌る。この際、第１長尺状枠体１の突起１３ａ、１３ｂ及び第２突起１４が変形するため、嵌合は可能で且つ強く嵌る。また、第２長尺状枠体２の第２後側板２１２の下端外側には、他構造体の係止部が係止する上方開口の溝状の係止部２１７が形成されている。係止部２１７を形成する突起は、第２後側板２１２の下端から外側へ斜め上方に延びている。なお、「外側」とは、冷ケース用枠体構造体１０を正面から見て「後方」を言う。これにより、センターレール６０の係止部を係止させることができる。このように、冷ケース用枠体構造体１０は、センターレール６０を含む天面ガラス扉構造体を構築する一部品として機能する。
【００２８】
第２長尺状枠体２の上方には、第２長尺状枠体２と一体であって、前方に緩やかに突の孤状断面の上部天板２１４と第３後側板２１５を有する任意の構成要素であるＰＯＳレール２２が形成されており、上部天板２１４の外側の下端に、内側に水平に延びる係合横溝２１６を形成している。ＰＯＳレール２２を形成することで、冷ケース内の商品情報を近い位置で表示することができる。なお、ＰＯＳレール２２の底板は、第２長尺状枠体２の第２天板２１３である。ＰＯＳレール２２は中空部材であり、内側にリブ部材２２２を設けることで軽量化を図りつつ強度を高めている。なお、ＰＯＳレール２２の第３後側板２１５の面２１５ａには、本考案の冷ケース用枠体構造体１０とは別部材となるセンターレール６０に嵌ったスライドガラスの前端が当接することになる。なお、本考案の冷ケース用枠体構造体１０において、ＰＯＳレール２２の設置を省略した場合、第２長尺状枠体２の第２後側板２１２を上方に延ばし、延ばした板状面にセンターレール６０に嵌ったスライドガラスの前端が当接するようにすればよい。
【００２９】
ＰＯＳレール２２には、商品情報表示カード類装着具３を装着することができる。商品情報表示カード類装着具３は、透明の樹脂製であり、前方に突の孤状の基板３１と、基板３１の下端から後方に屈曲して水平に延び、次いで大きく屈曲して斜め前方に延びる装着部３２とからなる。商品情報表示カード類装着具３は、装着部３２をＰＯＳレール２２の係合横溝２１６に係合させることで取り付けられる。そして、ＰＯＳレール２２の緩やかに突状の上部天板２１４と基板３１で上部開口３３を有するポケットを形成し、該ポケットには、商品情報表示カード類が装着される。
【００３０】
なお、図１〜図４に示す冷ケース用枠体構造体１０は、冷ケースの長手方向の側壁５０に嵌合するものである。これにより、スライドガラス扉の枠として、短手方向に延びるアーチ状のセンターレール６０を長手方向に離間して複数、形成することができる。センターレール６０は、上段ガイドレール６１、中段ガイドレール６２、下段ガイドレール６３と３段のガイドレールを有するものが使用できる。ガラス扉は、例えば手前側からアクセスする際、手前から中央に向けてガラスをスライドさせて開ける中段ガイドレール６２に嵌め込まれる第１スライドガラスと、手前側とは反対方向の対峙側からアクセスする際、同様に、手前から中央に向けてスライドガラスをスライドさせて開ける最下段ガイドレール６３に嵌め込まれる第２スライドガラスと、短手方向の中央部に固定される最上段ガイドレール６１に固定される固定ガラスがある。冷ケースは通常、平面視において長方形のものがほとんどであり、長手方向と短手方向が表われる。なお、平面視において正四角形の冷ケースの場合、図１〜図４に示す冷ケース用枠体構造体１０は、４辺の中、２辺の側壁にも使用できる。
【００３１】
冷ケース用枠体構造体１０において、第２長尺状枠体２は図１〜図４のものに限定されず、例えば図５〜図７に示すようなものであってもよい。図５の冷ケース用枠体構造体１０ａにおいて、図１の冷ケース用枠体構造体１０と同一構成要素には同一符号を付して、その説明を省略し、異なる点について主に説明する。すなわち、図５〜図７の冷ケース用枠体構造体１０ａにおいて、図１の冷ケース用枠体構造体１０と異なる点は、第２長尺状枠体２であり、具体的には、第２後側板２１２に形成される上方開口の溝状の係止部２１７ａの形状である。すなわち、本例では、上方開口の溝状の係止部２１７ａは、第２後側板２１２の上端に形成されている。また、係止部２１７ａの溝幅は、係止部２１７の溝幅より大であり、また、係止部２１７ａの溝を形成する外側の起立状の壁（係止片）２１９は、係止部２１７より高い。これにより、厚みのある側板８０の設置が可能となる。なお、係止部２１７ａを第２後側板２１２の上端に形成したため、ＰＯＳレールの奥行き幅が制限され、冷ケース用枠体構造体１０に比べて小振りとなる。なお、第２後側板２１２の上端は、厳密な意味ではなく、上端近傍も含まれる。
【００３２】
図５〜図７の冷ケース用枠体構造体１０ａは、冷ケースの短手方向の側壁の上端部に設置すればよい。すなわち、係止部２１７ａに側板８０の下方部を挿入することで、係止部２１７ａに側板８０を起立状に設置し、上下３段の溝が内側の面に形成されたアーチ状のサイドレール７０を側板８０に螺子止めで設置することができる。アーチ状のサイドレール７０は、アーチ状のセンターレール６０と対応するものであり、最上段の溝７１は、センターレール６０の最上段の溝６１と対応し、中段の溝７２は、センターレール６０の中段の溝６２と対応し、最下段の溝７３は、センターレール６０の最下段の溝６３と対応し、それぞれの溝にガラスの縁部が嵌り込む。具体的には、溝６１、７１間に固定ガラスが嵌め込まれ、溝６２、溝７２間に第１スライドガラスが嵌め込まれ、溝６３、溝７３間に第２スライドガラスが嵌め込まれる。
【００３３】
次に、冷ケース用枠体構造体１０及び冷ケース用枠体構造体１０ａの組み付け方法及び使用方法を図８〜図１０を参照して説明する。先ず、上方開口のボックス型冷ケースに対して、４つの第１長尺状枠体１を準備する。この際、２つは、長手方向の辺部の長さに対応する第１長尺状枠体１であり、残りの２つは、短手方向の辺部の長さに対応する第１長尺状枠体１ａである（図８参照）。４つの第１長尺状枠体１、１ａは、対応する冷ケースの側壁５０の上端部に対して上方から押し込むことで嵌合する。第１長尺状枠体１、１ａは、全体が樹脂製であり、第１突起１３や第２突起１４が軟質樹脂であることから、嵌合の初期において、バネ力に抗して開口が少し開き、第１突起１３や第２突起１４が撓んで、嵌合が円滑に進み、第１長尺状枠体１、１ａの第１天板１１３が冷ケースの側壁５０の上端に当たって、嵌合は終了する。この際、第１長尺状枠体１、１ａは、少し膨らむ。次いで、４つの第２長尺状枠体２、２ａを準備する。この際、２つは、長手方向の辺部の長さに対応する第２長尺状枠体２であり、残りの２つは、短手方向の辺部の長さに対応する第２長尺状枠体２ａである。
【００３４】
４つの第２長尺状枠体２、２ａは、対応する第１長尺状枠体１、１ａに対して上方から押し込むことで嵌合する。４つの第２長尺状枠体２、２ａは概ね剛体であり、第１長尺状枠体１、１ａの嵌合部分は、少し膨らんでいるものの、第１長尺状枠体１、１ａ、第１突起１３及び第２突起１４が第２長尺状枠体２、２ａより柔らかく撓むことができるため、第２長尺状枠体２、２ａは第１長尺状枠体１、１ａを撓ませ且つ締め付けながら、嵌合することができる。第２長尺状枠体２、２ａの第２天板２１３の裏面が第１長尺状枠体１、１ａの第１天板１１３の上面に当たるか、または第２長尺状枠体２、２ａの下端の係止部２１８が、第１長尺状枠体１、１ａの第１前後側板の下端の突出部１２に係止した際、嵌合は完了する。なお、冷ケースの角部には、適宜コーナー部材が設置される。また、短手方向の第２長尺状枠体２ａには、側板８０とアーチ状の側レール７０を設置する（図９参照）。また、長手方向の第２長尺状枠体２には、前後の対峙する一対の第２長尺状枠体２間にセンターレール６０を２つ長手方向に離間して設置する。第２長尺状枠体２へセンターレール６０を設置するには、センターレール６０の両端に形成した下方に延びる係止片６４を、第２長尺状枠体２の第２後側板２１２の下端に形成された係止部２１７に係止させればよい（図１０）。
【００３５】
次いで、一側のアーチ状の側板７０ａと第１センターレール６０ａの間９１に、第１センターレール６０ａと第２センターレール６０ｂの間９２に、第１センターレール６０ｂと他側のアーチ状の側板７０ｂの間９３に、ガイドレールにガイドされて開閉するガラス扉を設置すればよい。これにより、冷気を逃がさず、シール性の高い上面ガラス扉構造体を構築できる。
【００３６】
本発明は、上記実施の形態例に限定されず、種々の変形例を採ることができる。例えば、一対の髭状の突起１３ａ、１３ｂは、上記一対のひとつに限定されず、上下に複数対形成してもよく、また、左右対称ではなく、千鳥状に形成してもよい。図１１には、一対の髭状の突起１３ａ、１３ｂを上下に２対形成したものである。また、図１１に示すように、第１前側板１１１の形状は、上記形状に限定されず、上下方向に真っ直ぐに延びる側板であってもよい。
【産業上の利用可能性】
【００３７】
本考案によれば、最初の嵌合の際、第１長尺状枠体１、１ａが撓むため、既存の冷ケースの側壁の上端部の幅寸法が異なったものであっても対応できる。また、嵌合により膨れ上がった第１長尺状枠体１、１ａに対して、内寸の幅寸法が、第１長尺状枠体１、１ａの幅寸法と同じである金属製の第２長尺状枠体２、２ａを嵌めるため、強い嵌合が実現できる。このように、冷ケース用枠体構造体の装着は容易であり、外れ難い。また、本考案によれば、既存の冷ケースの側壁に、冷気を逃がさない天面ガラス扉構造体、すなわちシール構造体を構築できる。このため、電気使用量を低減でき、運転コストを削減できる。
【符号の説明】
【００３８】
１      第１長尺状枠体
２      第２長尺状枠体
３      商品情報表示カード類装着具
１０    冷ケース用枠体構造体
１３ａ、１３ｂ    一対の突起
１４    第２突起
２２    ＰＯＳレール
５０    ボックス型冷ケースの側壁
１１１  立設状の第１前側板
１１２  立設状の第１後側板
１１３  第１天板
２１１  立設状の第２前側板
２１２  立設状の第２後側板
２１３  第２天板
【図１】
0003183017.tif 000003
【図２】
0003183017.tif 000004
【図３】
0003183017.tif 000005
【図４】
0003183017.tif 000006
【図５】
0003183017.tif 000007
【図６】
0003183017.tif 000008
【図７】
0003183017.tif 000009
【図８】
0003183017.tif 000010
【図９】
0003183017.tif 000011
【図１０】
0003183017.tif 000012
【図１１】
0003183017.tif 000013
【図１２】
0003183017.tif 000014